(57)【要約】【課題】二値化回路のしきい値を短時間で適切なレベルに調整することができる電波修正時計を提供すること。【解決手段】電波修正時計１は、標準電波の受信信号を増幅する増幅回路３２と、前記受信信号の強さに応じて増幅回路３２のゲインを調整するＡＧＣ回路３６と、受信信号をしきい値に基づいて二値化して二値化信号を出力する二値化回路３７と、ＡＧＣ回路３６から出力されるＡＧＣ信号に応じて二値化回路３７のしきい値を変更するレベル切替手段としての制御部４６と、しきい値が変更された後の二値化信号をデコードしてタイムコードを復調するＴＣＯデコード部４１とを備える。【選択図】図１
2012189557.tif 000002
【特許請求の範囲】
【請求項１】
タイムコードを有する標準電波を受信し、受信した標準電波に基づいて内部時計の時刻を修正する電波修正時計であって、
前記標準電波の受信信号を増幅する増幅回路と、
前記受信信号の強さに応じて前記増幅回路のゲインを調整するオートゲインコントロール回路と、
前記受信信号を所定のしきい値に基づいて二値化して二値化信号を出力する二値化手段と、
前記オートゲインコントロール回路から出力される前記増幅回路のゲインの調整レベルを示す調整レベル信号に応じて前記二値化手段のしきい値を変更するレベル切替手段と、
前記レベル切替手段で前記二値化手段のしきい値が変更された後の二値化信号をデコードしてタイムコードを復調するタイムコードデコード手段と、
を備えることを特徴とする電波修正時計。
【請求項２】
請求項１に記載の電波修正時計において、
前記調整レベル信号と、前記しきい値との関係を設定したしきい値設定テーブルが記憶された記憶手段を備え、
前記レベル切替手段は、前記オートゲインコントロール回路から出力される調整レベル信号に対応するしきい値を、前記しきい値設定テーブルから読み出して前記二値化手段のしきい値を変更する
ことを特徴とする電波修正時計。
【請求項３】
請求項１または請求項２に記載の電波修正時計において、
前記増幅回路、前記オートゲインコントロール回路、前記二値化手段、および前記二値化手段におけるしきい値を調整するしきい値調整手段を備える受信回路部と、
前記レベル切替手段と、前記タイムコードデコード手段を備え、前記レベル切替手段から出力される制御信号を前記受信回路部に出力して前記受信回路部における前記標準電波の受信状態を制御する制御回路部と、を具備し、
前記受信回路部は、
前記制御回路部の前記レベル切替手段から出力される前記制御信号をデコードし、デコードされた制御信号を前記しきい値調整手段に出力する制御信号デコード手段を備えた
ことを特徴とする電波修正時計。
【請求項４】
請求項１から請求項３のいずれかに記載の電波修正時計において、
前記レベル切替手段は、受信動作を開始して前記二値化手段のしきい値を調整した後、タイムコードのデコード中は前記しきい値を変更せずに固定する
ことを特徴とする電波修正時計。
【請求項５】
タイムコードを有する標準電波を受信し、受信した標準電波に基づいて時刻修正を実施する電波修正時計の制御方法であって、
前記電波修正時計は、
前記標準電波の受信信号を増幅する増幅回路と、
前記受信信号の強さに応じて前記増幅回路のゲインを調整するオートゲインコントロール回路と、
前記受信信号を所定のしきい値に基づいて二値化して二値化信号を出力する二値化手段と、を備え
前記オートゲインコントロール回路から出力される前記増幅回路のゲインの調整レベルを示す調整レベル信号に応じて前記二値化手段のしきい値を変更し、
二値化用のしきい値が変更された後の二値化信号をデコードしてタイムコードを復調する
ことを特徴とする電波修正時計の制御方法。
【発明の詳細な説明】
【技術分野】
【０００１】
本発明は、時刻情報を有する標準電波を受信し、受信した標準電波に基づいて時刻を修正する電波修正時計、およびその制御方法に関する。
【背景技術】
【０００２】
標準電波を受信可能な電波時計が知られている。標準電波は振幅変調であり、前記電波時計は、受信回路において、フィルターなどで受信信号の包絡線を抜き出した後、比較器（コンパレーター）などで包絡線信号と基準電圧とを比較して二値化する二値化回路を備えている。そして、電波時計は、この二値化回路で得られたタイムコード信号に基づいて時刻情報を入手し、時刻表示を行っている。
【０００３】
ところで、前記二値化回路の基準電圧（しきい値）は、通常、固定値である。このため、受信環境によっては正しいタイムコードを得ることができない。
そこで、二値化信号のパルスデューティー（パルスデューティー比）を算出し、タイムコードの種類に応じてあらかじめ設定されるデューティーの基準範囲値に含まれているかを判定し、含まれていない場合には前記しきい値レベルを変更することで、しきい値を適切なレベルに調整する電波修正時計が提案されている（特許文献１参照）。
【先行技術文献】
【特許文献】
【０００４】
【特許文献１】特開２００９−１９９２１号公報
【発明の概要】
【発明が解決しようとする課題】
【０００５】
前記特許文献１は、前記しきい値を適切に調整できる一方で、前記二値化信号のパルスデューティーの算出に時間を要するという問題があった。たとえば、１分間のデータの中で、信号レベルがハイレベルとなっている時間を前記１分間で除算してデューティーを求める場合、１分間のデータを受信した後でなければ、しきい値を調整できないという問題があった。
【０００６】
本発明は、二値化回路のしきい値を短時間で適切なレベルに調整することができる電波修正時計およびその制御方法を提供することを目的とする。
【課題を解決するための手段】
【０００７】
本発明は、タイムコードを有する標準電波を受信し、受信した標準電波に基づいて内部時計の時刻を修正する電波修正時計であって、前記標準電波の受信信号を増幅する増幅回路と、前記受信信号の強さに応じて前記増幅回路のゲインを調整するオートゲインコントロール回路と、前記受信信号を所定のしきい値に基づいて二値化して二値化信号を出力する二値化手段と、前記オートゲインコントロール回路から出力される前記増幅回路のゲインの調整レベルを示す信号に応じて前記二値化手段のしきい値を変更するレベル切替手段と、前記レベル切替手段で前記二値化手段のしきい値が変更された後の二値化信号をデコードしてタイムコードを復調するタイムコードデコード手段と、を備えることを特徴とする。
【０００８】
オートゲインコントロール回路（以下ＡＧＣ回路ともいう）は、受信信号のレベルに応じて、増幅回路のゲインを調整する。具体的には、増幅回路に対して、オートゲインコントロール電圧（以下ＡＧＣ電圧ともいう）を出力し、増幅回路はＡＧＣ電圧に基づいて増幅回路のゲインを調整する。この際、ＡＧＣ回路は、受信環境が弱電界環境の場合のように、受信信号レベルが小さい場合には、増幅回路のゲインを増大する。また、受信環境がノイズ環境である場合のように、受信信号レベルが大きい場合には、増幅回路のゲインを減少させて、増幅回路の出力信号のレベルが一定になるように制御する。
従って、ＡＧＣ回路から増幅回路のゲインの調整レベルを示す調整レベル信号、たとえば、前記ＡＧＣ電圧値を示す信号を出力させ、レベル切替手段ではその調整レベル信号に基づいて二値化手段のしきい値を変更すれば、周囲の電波状態に応じた最適なしきい値を設定できる。このため、ノイズ環境下や弱電界状態という悪条件において受信性能を向上することができる。
なお、調整レベル信号をデジタル信号で出力できるＡＧＣ回路を用いた場合には、ＣＰＵ等の制御部で構成されるレベル切替手段に、調整レベル信号を直接入力できる。従って、レベル切替手段での制御を容易に実行できる。
【０００９】
本発明の電波修正時計において、前記調整レベル信号と、前記しきい値との関係を設定したしきい値設定テーブルが記憶された記憶手段を備え、前記レベル切替手段は、前記オートゲインコントロール回路から出力される調整レベル信号に対応するしきい値を、前記しきい値設定テーブルから読み出して前記二値化手段のしきい値を変更することが好ましい。
【００１０】
本発明によれば、調整レベル信号と、しきい値との関係を、しきい値設定テーブルに設定しているので、調整レベル信号に応じたしきい値の設定を変更する場合も、容易に対応できる。
【００１１】
本発明の電波修正時計において、前記増幅回路、前記オートゲインコントロール回路、前記二値化手段、および前記二値化手段におけるしきい値を調整するしきい値調整手段を備える受信回路部と、前記レベル切替手段と、前記タイムコードデコード手段を備え、前記レベル切替手段から出力される制御信号を前記受信回路部に出力して前記受信回路部における前記標準電波の受信状態を制御する制御回路部と、を具備し、前記受信回路部は、前記制御回路部の前記レベル切替手段から出力される前記制御信号をデコードし、デコードされた制御信号を前記しきい値調整手段に出力する制御信号デコード手段を備えたことが好ましい。
【００１２】
この発明によれば、制御信号デコード手段は、レベル切替手段から入力された制御信号をデコードし、しきい値調整手段は、このデコードされた制御信号に基づいて二値化手段のしきい値を調整する。これにより、制御信号デコード手段が制御信号をデコードするので、制御回路部から出力される制御信号を簡易な信号に設定することができ、通信される信号の信頼性を向上させることができる。
【００１３】
本発明の電波修正時計において、前記レベル切替手段は、受信動作を開始して前記二値化手段のしきい値を調整した後、タイムコードのデコード中は前記しきい値を変更せずに固定することが好ましい。
【００１４】
この発明によれば、タイムコードのデコード中に、しきい値が変化することがないので、例えばビット化けなどにより正確なデコードが阻害されるなどの不都合が回避でき、正確なＴＣをデコードすることができる。
【００１５】
本発明は、タイムコードを有する標準電波を受信し、受信した標準電波に基づいて時刻修正を実施する電波修正時計の制御方法であって、前記電波修正時計は、前記標準電波の受信信号を増幅する増幅回路と、前記受信信号の強さに応じて前記増幅回路のゲインを調整するオートゲインコントロール回路と、前記受信信号を所定のしきい値に基づいて二値化して二値化信号を出力する二値化手段と、を備え前記オートゲインコントロール回路から出力される前記増幅回路のゲインの調整レベルを示す調整レベル信号に応じて前記二値化手段のしきい値を変更し、二値化用のしきい値が変更された後の二値化信号をデコードしてタイムコードを復調することを特徴とする。
【００１６】
この発明によれば、上記電波修正時計と同様に、ＡＧＣ回路による増幅回路のゲインの調整レベルに応じて、二値化用のしきい値を適切なレベルに直ちに変更できるので、正しいタイムコードを取得でき、受信環境の影響を軽減でき、正しい時刻に修正することができる。
【図面の簡単な説明】
【００１７】
【図１】第１実施形態に係る電波修正時計の構成を示すブロック図である。
【図２】第１増幅回路におけるＡＧＣ電圧およびゲインの関係を示す図である。
【図３】ＡＧＣ回路の構成を示す回路図である。
【図４】ＡＧＣ回路における受信信号の入力レベルおよびＡＧＣ電圧の関係を示す図である。
【図５】第１実施形態の二値化回路およびＶＲＥＦ切替回路の構成を示す回路図である。
【図６】標準電波に含まれるＴＣに係る元の波形、およびこの標準電波の受信信号を包絡線検波後、それぞれの基準電圧に基づいて二値化したＴＣＯ信号の波形を示す図である。
【図７】標準電波に含まれるＴＣに係る元の波形、この標準電波を弱電界環境で受信した際の包絡線信号の波形、および前記標準電波をノイズ環境で受信した際の包絡線信号の波形を示す図である。
【図８】日本における標準電波「ＪＪＹ」のタイムコードフォーマットを示す図である。
【図９】日本における標準電波「ＪＪＹ」の各信号を示す図である。
【図１０】しきい値設定テーブルの概略を示す図である。
【図１１】電波修正時計の時刻修正動作を示すフローチャートである。
【図１２】変形例に係る電波修正時計の構成を示すブロック図である。
【発明を実施するための形態】
【００１８】
［第１実施形態］
（１）電波修正時計１の構成
電波修正時計１は、図１に示すように、アンテナ２と、受信回路部３と、制御回路部４と、表示部５と、外部操作部材６と、水晶振動子４７とを備えている。
アンテナ２は、長波標準電波（以下、「標準電波」と称す）を受信し、受信した標準電波を受信回路部３に出力する。
受信回路部３は、アンテナ２にて受信した標準電波の受信信号を復調して、ＴＣＯ（Time Code Out：タイムコード出力）として制御回路部４に出力する。なお、受信回路部３の詳細な説明は、後述する。
【００１９】
制御回路部４は、入力されたＴＣＯをデコードしてＴＣ（タイムコード）を生成し、生成したＴＣに基づいて時刻カウンター４４の時刻を設定する。また、制御回路部４は、時刻カウンター４４の時刻を表示部５に表示させる制御をする。さらに、制御回路部４は、受信回路部３から入力されるＴＣＯのデューティーを判定し、受信回路部３に制御信号を出力する。なお、制御回路部４の詳細な説明は、後述する。
【００２０】
表示部５は、制御回路部４の駆動回路部４５により駆動制御され、時刻カウンター４４でカウントされる時刻を表示させる。この表示部５としては、例えば液晶パネルを備え、液晶パネルに時刻を表示させる構成であってもよく、文字板および指針を備え、制御回路部４により指針を運針させて時刻を表示させる構成であってもよい。
【００２１】
外部操作部材６は、例えばリューズや設定ボタンなどにより構成され、利用者により操作されることで制御回路部４に所定の操作信号を出力する。この操作信号としては、例えば、アンテナ２で受信される標準電波の種類（例えば、日本におけるＪＪＹ、アメリカ合衆国におけるＷＷＶＢ、ドイツにおけるＤＣＦ７７、中国におけるＢＰＣなど）を設定する旨の電波種類設定データ、標準電波を受信して時刻を修正させる旨の修正要求情報などが挙げられる。
【００２２】
基準クロック用の水晶振動子４７は、所定の基準信号（基準クロック、例えば32.768kHzの信号）を出力するものであり、この水晶振動子４７から出力された基準信号が制御回路部４に入力されている。この信号は、制御部４６内の分周回路で１Ｈｚの信号に分周される。
【００２３】
（２）受信回路部３の構成
受信回路部３は、図１に示すように、同調回路３１と、第１増幅回路３２と、バンドパスフィルター（Band-pass filter，以下、「ＢＰＦ」と略す場合がある）３３と、第２増幅回路３４と、包絡線検波回路３５と、ＡＧＣ（Auto Gain Control）回路３６と、二値化手段としての二値化回路３７と、しきい値調整手段としてのＶＲＥＦ切替回路３８と、制御信号デコード手段としてのデコード回路３９とを備えて構成されている。
【００２４】
同調回路３１は、コンデンサーを備えて構成され、当該同調回路３１とアンテナ２とにより並列共振回路が構成される。この同調回路３１は、特定の周波数の電波をアンテナ２で受信させる。この同調回路３１により、アンテナ２で受信された標準電波が電圧信号に変換され、第１増幅回路３２に出力される。なお、本実施形態の受信回路部３では、日本の標準電波「ＪＪＹ」の他、アメリカ合衆国の標準電波「ＷＷＶＢ」、ドイツの標準電波「ＤＣＦ７７」、中国の標準電波「ＢＰＣ」などの各地域における標準電波を受信可能に構成されている。
【００２５】
第１増幅回路３２は、後述するＡＧＣ回路３６から入力する信号（ＡＧＣ電圧）に応じてゲインを調整し、同調回路３１から入力する受信信号を一定の振幅としてＢＰＦ３３に入力するように増幅する。
ここで、第１増幅回路３２におけるＡＧＣ電圧と、ゲインとの関係は、図２に示すようになる。すなわち、ＡＧＣ電圧が０．０〜０．２Ｖの範囲の場合は、第１増幅回路３２におけるゲインは８０ｄＢに設定され、ＡＧＣ電圧が０．２Ｖ以上になると、ゲインはＡＧＣ電圧に略比例して低下し、ＡＧＣ電圧が０．９〜１．０Ｖの範囲の場合、ゲインは約０．０ｄＢとなる。なお、第１増幅回路３２に入力されるＡＧＣ電圧は、実際には、０．１〜０．９Ｖ程度の可変幅に設定されている。
【００２６】
バンドパスフィルター（ＢＰＦ）３３は、所望の周波数帯の信号を抽出するフィルターである。すなわち、ＢＰＦ３３を介することにより、第１増幅回路３２から入力した受信信号から搬送波成分以外が除去される。
【００２７】
第２増幅回路３４は、ＢＰＦ３３から入力する受信信号を、固定のゲインでさらに増幅する。
【００２８】
包絡線検波回路３５は、図示しない整流器と、図示しないローパスフィルター（Low-Pass Filter，ＬＰＦ）とを備えて構成され、第２増幅回路３４から入力した受信信号を整流およびろ波し、ろ波して得られた包絡線信号を、ＡＧＣ回路３６および二値化回路３７に出力する。
【００２９】
〔ＡＧＣ回路の構成〕
ＡＧＣ回路３６は、包絡線検波回路３５から入力した受信信号に基づいて、第１増幅回路３２にて受信信号を増幅する際のゲインを決定する信号（ＡＧＣ電圧）を出力するものであり、たとえば図３に示すような回路で構成できる。
【００３０】
すなわち、ＡＧＣ回路３６は、コンパレーター３６１と、ＡＧＣコンデンサー３６２と、第１〜２の定電流源３６３，３６４と、インバーター３７０と、プルダウン抵抗３７２と、ＡＧＣ基準電圧を出力する定電圧源３７３を備えている。
【００３１】
コンパレーター３６１は、２つの入力端子を備える。一方の入力端子（マイナス入力）は、低電位の電源ＶＳＳに接続されてＡＧＣ基準電圧を出力する定電圧源３７３に接続され、他方の入力端子（プラス入力）は、包絡線検波回路３５に接続されている。
このため、コンパレーター３６１は、包絡線検波回路３５から入力される包絡線信号の電圧が、ＡＧＣ基準電圧以上であればＨｉレベルの信号を出力し、ＡＧＣ基準電圧未満であればＬｏｗレベルの信号を出力する。
【００３２】
第１の定電流源３６３は、電源ＶＳＳよりも高電位の電源ＶＤＤとＡＧＣコンデンサー３６２間に接続されている。第１の定電流源３６３は、コンパレーター３６１からＨｉレベル信号が出力されるとオン状態となり、Ｌｏｗレベル信号が出力されるとオフ状態となる。
第２の定電流源３６４は、ＡＧＣコンデンサー３６２と電源ＶＳＳ間に接続されている。コンパレーター３６１および第２の定電流源３６４間にはインバーター３７０が配置されているので、第２の定電流源３６４は、コンパレーター３６１からＬｏｗレベル信号が出力されるとオン状態となり、Ｈｉレベル信号が出力されるとオフ状態となる。
【００３３】
従って、コンパレーター３６１からＨｉレベル信号が出力されると、第１の定電流源３６３がオン、第２の定電流源３６４がオフとなり、定電流源３６３は一定値の電流を流してＡＧＣコンデンサー３６２を充電する。
ＡＧＣコンデンサー３６２が充電されると、第１増幅回路３２に入力されるＡＧＣ電圧（ＡＧＣ制御電圧）が上昇する。
一方、コンパレーター３６１からＬｏｗレベル信号が出力されると、第１の定電流源３６３がオフ、第２の定電流源３６４がオンとなり、定電流源３６４は一定値の電流を流してＡＧＣコンデンサー３６２を放電する。
ＡＧＣコンデンサー３６２が放電されると、第１増幅回路３２に入力されるＡＧＣ電圧が下降する。
【００３４】
従って、ＡＧＣ回路３６は、図４に示すように、第１増幅回路３２に入力される受信信号の入力レベルが大きくなると、ＡＧＣ電圧も大きくなり、入力信号レベルに比例してＡＧＣ電圧が変化する。このため、ＡＧＣ電圧をモニタリングすることで、入力信号の強さを把握できる。
【００３５】
そして、本実施形態の第１増幅回路３２は、図２に示すように、ＡＧＣ電圧が高くなると、第１増幅回路３２のゲイン（利得）が小さくなり、ＡＧＣ電圧が低くなると、第１増幅回路３２のゲイン（利得）が大きくなるように構成されている。
従って、入力信号レベルが大きくなると、ＡＧＣ回路３６から第１増幅回路３２に出力されるＡＧＣ電圧が高くなり、第１増幅回路３２におけるゲインは小さくなる。
一方、入力信号レベルが小さくなると、ＡＧＣ回路３６から第１増幅回路３２に出力されるＡＧＣ電圧が低くなり、第１増幅回路３２におけるゲインは大きくなる。
このため、ＡＧＣ回路３６および第１増幅回路３２によって、受信信号が一定の振幅となるように自動的に調整できる。
【００３６】
〔二値化回路の構成〕
二値化回路３７は、図５に示すように、二値化コンパレーターで構成され、２つの入力端子のうち、一方の入力端子は、包絡線検波回路３５に接続され、他方の入力端子は、ＶＲＥＦ切替回路３８に接続されている。そして、二値化回路３７は、ヒステリシスを持つコンパレーターであり、包絡線検波回路３５から入力する包絡線信号、および、ＶＲＥＦ切替回路３８から入力する所定電圧を有する基準電圧（しきい値）に基づいて、二値化信号すなわちＴＣＯ信号を出力する。包絡線信号はノイズが多く、二値化コンパレーターに数ｍＶのヒステリシスを持たせることで、ＴＣＯ信号のばたつきを抑えることができる。
【００３７】
具体的に、二値化回路３７は、包絡線信号の電圧が基準電圧を上回っている場合にはＨｉレベル（ハイレベル）の電圧を有する信号を、また、包絡線信号の電圧が基準電圧を下回っている場合には、Ｈレベルの信号より電圧値の低いＬｏｗレベル（ローレベル）の信号を、ＴＣＯ信号として、制御回路部４に出力する。なお、包絡線信号の電圧が基準電圧を上回っている場合にはＬレベルを、包絡線信号の電圧が基準電圧を下回っている場合にはＨレベルの信号を、ＴＣＯ信号として、制御回路部４に出力するように構成することも可能である。
【００３８】
ＶＲＥＦ切替回路３８は、定電圧源３８１から出力された電源電圧ＶＤＤから基準電圧ＶＲＥＦ１〜ＶＲＥＦ４を生成して、当該基準電圧を二値化回路３７に出力する。このＶＲＥＦ切替回路３８は、定電圧源３８１と、当該定電圧源３８１およびグランドＧＮＤの間に配置される４つの抵抗Ｒ１〜Ｒ４と、これら４つの抵抗Ｒ１〜Ｒ４間および二値化回路３７の間、Ｒ４およびグランドＧＮＤ間および二値化回路３７の間にそれぞれ配置される４つのスイッチＳＷ１〜ＳＷ４と、抵抗Ｒ４とグランドＧＮＤとの間に配置される定電流源３８２とを備えて構成されている。
【００３９】
このうち、各スイッチＳＷ１〜ＳＷ４は、アナログスイッチで構成され、スイッチＳＷ１は、抵抗Ｒ１，Ｒ２の間と二値化回路３７との間、スイッチＳＷ２は、抵抗Ｒ２，Ｒ３の間と二値化回路３７との間、スイッチＳＷ３は、抵抗Ｒ３，Ｒ４の間と二値化回路３７との間、スイッチＳＷ４は、抵抗Ｒ４，定電流源３８２の間と二値化回路３７との間に、それぞれ配置されている。これら各スイッチＳＷ１〜ＳＷ４は、デコード回路３９と、選択線ＳＥＬ１〜ＳＥＬ４を介して、それぞれ独立して接続されており、当該デコード回路３９から入力する信号に応じて、オン／オフ状態が切り替わるように構成されている。そして、これらスイッチＳＷ１〜ＳＷ４のうち、いずれか１つがオン状態（導通状態）となり、他のスイッチがオフ状態（非導通状態）となることにより、定電圧源３８１から出力された電源電圧ＶＤＤは、定電流源３８２から出力された電流ＩＳおよび抵抗Ｒにより電圧変化され、基準電圧ＶＲＥＦとなって二値化回路３７に入力する。
【００４０】
具体的には、基準電圧ＶＲＥＦは、電源電圧ＶＤＤ−電流ＩＳ×抵抗Ｒで求められる。従って、ＶＲＥＦ切替回路３８は、スイッチＳＷ１のみがオン状態である場合に、最も高い電圧の基準電圧ＶＲＥＦ１を二値化回路３７に出力する。そして、ＶＲＥＦ切替回路３８は、スイッチＳＷ２のみがオン状態である場合に、２番目に高い電圧の基準電圧ＶＲＥＦ２を出力し、スイッチＳＷ３のみがオン状態である場合に、３番目に高い電圧の基準電圧ＶＲＥＦ３を出力し、また、スイッチＳＷ４のみがオン状態である場合に、最も低い電圧の基準電圧ＶＲＥＦ４を出力する。
この基準電圧ＶＲＥＦを切り替えることで、二値化コンパレーターにおけるしきい値を４段階に切り替えることができ、ＴＣＯのデューティーを調整できる。
【００４１】
デコード回路３９は、後述する制御回路部４と、シリアル通信線を介して接続されている。そして、このデコード回路３９は、制御回路部４から入力する制御信号をデコードし、当該制御信号に含まれるコードに基づいて、スイッチＳＷ１〜ＳＷ４のオン／オフ状態を設定する信号を、各選択線ＳＥＬ１〜ＳＥＬ４に出力する。
【００４２】
（３）制御回路部４の構成
制御回路部４は、前述のように、受信回路部３の動作を制御するものであり、具体的に、受信回路部３のデコード回路３９に対して、基準電圧ＶＲＥＦを切り替える制御信号を出力する。また制御回路部４は、二値化回路３７から入力するＴＣＯ信号をデコードして、デコードされて生成したタイムコードに基づいて、時刻カウンター４４の時刻を設定する。さらには、制御回路部４は、時刻カウンター４４の時刻を表示部５に表示させる制御をする。
この制御回路部４は、図１に示すように、タイムコードデコード手段としてのＴＣＯデコード部４１と、記憶手段としての記憶部４２と、時刻カウンター４４と、駆動回路部４５と、レベル切替手段としての制御部４６とを備えて構成されている。なお、制御部４６には、前記水晶振動子４７から出力された基準信号が入力されている。
【００４３】
ＴＣＯデコード部４１は、受信回路部３の二値化回路３７から入力するＴＣＯ信号をデコードして、当該ＴＣＯ信号に含まれる日付情報および時刻情報等を有するタイムコード（ＴＣ）を抽出する。そして、ＴＣＯデコード部４１は、抽出したＴＣを制御部４６に出力する。なお、本実施形態のＴＣＯデコード部４１は、日本の標準電波ＪＪＹ、アメリカの標準電波ＷＷＶＢ、ドイツの標準電波ＤＣＦ７７、中国の標準電波ＢＰＣ等、複数種類の標準電波のタイムコードをデコードして出力できるように構成されている。
【００４４】
記憶部４２は、制御回路部４による受信回路部３の制御等に必要な各種データやプログラム等を記憶するメモリーである。さらに、記憶部４２には、後述するしきい値設定テーブル８が記憶されている。
【００４５】
時刻カウンター４４は、水晶振動子４７から出力される基準信号に基づいて時間をカウントする。具体的には、時刻カウンター４４は、秒をカウントする秒カウンター、分をカウントする分カウンター、時をカウントする時カウンターを備えている。
秒カウンターは、例えば水晶振動子４７から１Ｈｚの基準信号が出力されている場合、その信号を６０カウントつまり６０秒でループするカウンターである。分カウンターは、１Ｈｚの基準信号を６０回係数したところで１カウントし、６０カウント、すなわち６０分でループするカウンターである。時カウンターは、１Ｈｚの基準信号を３６００回係数したところで１カウントし、２４カウント、すなわち２４時間でループするカウンターである。
なお、分カウンターは、秒カウンターが６０カウントするごとに秒カウンターから分カウンターに信号を出力して分カウンターをカウントアップさせる構成としてもよい。同様に、時カウンターは、分カウンターが６０カウントするごとに分カウンターから時カウンターに信号を出力して時カウンターをカウントアップさせる構成としてもよい。
【００４６】
駆動回路部４５は、制御部４６から出力される時刻表示制御信号に基づいて、表示部５の表示状態を制御し、表示部５に時刻を表示させる制御をする。例えば、表示部５が液晶パネルを有し、液晶パネルに時刻を表示させる構成である場合、駆動回路部４５は、時刻表示制御信号に基づいて、液晶パネルを制御し、液晶パネルに時刻を表示させる。また、表示部５が文字板および指針を有する構成である場合、駆動回路部４５は、指針を駆動させるステッピングモーターに、パルス信号を出力し、ステッピングモーターの駆動力により指針を運針させる。
【００４７】
制御部４６は、水晶振動子４７から入力される駆動周波数に基づいて駆動し各種制御処理を実施する。すなわち、制御部４６は、ＴＣＯデコード部４１から入力されるＴＣを、時刻カウンター４４に出力し、時刻カウンター４４のカウントを修正する制御をする。また、制御部４６は、時刻カウンター４４にてカウントされる時刻を表示部５に表示させる時刻表示制御信号を駆動回路部４５に出力する。
さらに、レベル切替手段である制御部４６は、後述するように、ＡＧＣ回路３６から出力されたＡＧＣ信号に基づいて二値化回路３７のしきい値を設定するための制御信号を、受信回路部３に出力する。
【００４８】
なお、制御部４６と、デコード回路３９とは、シリアル通信線により接続され、制御信号は、シリアル通信線を介してデコード回路３９に入力される。これにより、ＶＲＥＦ切替回路３８の電圧切替を制御する旨の制御信号を、デコード回路３９を介して、ＶＲＥＦ切替回路３８に出力させることができる。
ここで、制御部４６と受信回路部３とのシリアル通信においては、制御部４６と受信回路部３との間で双方向通信が可能な２線の同期式インターフェイスを用いて、それぞれによる双方向のシリアル通信を行うようにしてもよい。このような場合、制御部４６から受信回路部３に制御信号を出力した後、当該受信回路部３が、受信および認識した制御信号を制御部４６に再度転送し、制御部４６にて出力した制御信号と入力した制御信号とのデータの差異を確認することで、より信頼性の高いシリアル通信を行うことができる。
【００４９】
［制御部（レベル切替手段）］
レベル切替手段である制御部４６は、ＡＧＣ回路３６から入力されるＡＧＣ信号（調整レベル信号）の値によって、二値化回路３７のしきい値を適切なレベルに調整するものである。
まず、二値化回路３７のしきい値のレベル調整が必要な利用を説明する。
図６は、二値化回路３７のしきい値を決める基準電圧ＶＲＥＦとＴＣＯ波形との関係を説明する図である。標準電波の元の波形は、図６のＡ１に示すように矩形波であるが、包絡線検波回路３５からの波形は、図６のＡ２に示すように微小信号の増幅波形であり、また長波の周波数帯（30ｋ〜300ｋHz）には電子機器が発生するノイズが多いため、実際の使用環境ではノイズが多く含まれる。
【００５０】
しきい値を基準電圧ＶＲＥＦ１と高くした場合、波形Ａ２はしきい値よりも低いＬｏｗ期間が多くなる。このため、基準電圧ＶＲＥＦ１で二値化したＴＣＯ波形Ａ３は、波形の振幅が小さいとパルスが抜けてしまい、ＴＣＯ波形Ａ３のトータルのパルスデューティーも小さくなる。
一方、しきい値を基準電圧ＶＲＥＦ３と低くした場合、波形Ａ２はしきい値よりも高いＨｉ期間が多くなる。このため、基準電圧ＶＲＥＦ３で二値化したＴＣＯ波形Ａ５は、突発的なノイズも拾ってしまい、誤まったパルスを出力してしまう。よって、ＴＣＯ波形Ａ４のトータルのパルスデューティーが大きくなる。
なお、しきい値を基準電圧ＶＲＥＦ１、ＶＲＥＦ３の間にあるＶＲＥＦ２に設定した場合、そのしきい値で二値化したＴＣＯ波形Ａ４のパルスデューティーは、ＴＣＯ波形Ａ３とＡ５との間になる。
【００５１】
さらに、ＴＣＯ波形は、受信環境によっても変化する。すなわち、包絡線検波回路３５の出力波形のピークとボトムの関係が受信環境で変化する。図７に示すように、ａ）弱電界の信号が弱い場合は、ピーク（Hi）のレベルが下がる。回路のダイナミックレンジは固定のため、ボトムレベルは変わらない。このため、幅の細いパルスは波高値がかなり低くなり、基準電圧ＶＲＥＦ１ではしきい値を超えることができない。この場合、基準電圧ＶＲＥＦ３が最適である。
【００５２】
また、ｂ）都市ノイズが多い環境では、ボトム（Lo）のレベルが全体的に上がる。これも回路のダイナミックレンジは固定のため、ピークレベルは変わらない。基準電圧ＶＲＥＦ３ではしきい値をほとんど超えてしまい、Ｈｉと判断してしまいデューティーは大きくなる。この場合、基準電圧ＶＲＥＦ１が最適である。
図７の場合は、いずれにしてもＳＮ比が悪くなる状態であり、ＳＮ比が良い状態より二値化回路３７のしきい値の設定が難しくなる。
【００５３】
そして、二値化回路３７のしきい値を適切に設定できないと、標準電波の各信号を正確に検出することができない。
たとえば、日本において用いられる標準電波（ＪＪＹ）のタイムコードフォーマットは図８に示すとおりである。また、ＪＪＹにおける各信号のパルス幅は、図９に示すとおりである。
【００５４】
ＪＪＹでは、図９に示すように、「１」の信号は、１秒のパルス幅に対して、ハイレベル信号のパルス幅が０．５秒（つまり、パルスデューティー５０％）である。また、「０」の信号は、１秒のパルス幅に対して、ハイレベル信号のパルス幅が０．８秒（パルスデューティー８０％）である。さらに、「Ｐ」の信号は、１秒のパルス幅に対して、ハイレベル信号のパルス幅が０．２秒（パルスデューティー２０％）である。
ここで、しきい値が適切なレベルではないと、図６のＶＲＥＦ１によるＴＣＯ信号のように、ハイレベル信号のパルス幅が元の波形と大きく相違してしまう。この場合、ＴＣＯデコード部４１でも正しい信号をデコードすることができない。
【００５５】
そこで、本実施形態の制御部４６は、ＡＧＣ電圧値を示す調整レベル信号であるＡＧＣ信号に基づいて、しきい値を適切なレベルに設定している。すなわち、レベル切替手段である制御部４６は、ＡＧＣ信号の値を、あらかじめ設定された基準値と比較する。この基準値は、記憶部４２に記憶されたしきい値設定テーブル８に設定されている。なお、ＣＰＵ等で構成される制御部４６に対しては、ＡＧＣ信号をデジタル値で入力する必要があるため、ＡＧＣ信号がデジタル信号として出力されるようにＡＧＣ回路３６を構成することが好ましい。また、ＡＧＣ信号がアナログ信号で出力される場合には、ＡＤコンバーターでデジタル値に変換して制御部４６に入力すればよい。
図１０に示すように、しきい値設定テーブル８は、ＡＧＣ電圧範囲８１と、このＡＧＣ電圧範囲８１に対応するしきい値レベル８２と、しきい値レベル８２に対応する基準電圧レベル８３とが設定されている。
【００５６】
本実施形態では、しきい値設定テーブル８は、ＡＧＣ電圧範囲８１およびしきい値レベルとして、０．８Ｖ以上の場合は水準１を設定し、０．５Ｖ以上かつ０．８Ｖ未満の場合は水準２を設定し、０．２Ｖ以上かつ０．５Ｖ未満の場合は水準３を設定し、０．２Ｖ未満の場合は水準４を設定する。
そして、各水準１〜４に対応して、二値化回路３７の基準電圧ＶＲＥＦ１〜ＶＲＥＦ４を設定している。なお、各基準電圧ＶＲＥＦ１〜ＶＲＥＦ４のレベルは、図６，７にも示すように、等間隔には設定されていない。すなわち、具体的なしきい値レベルで重要なのは、入力信号レベルが高い強入力（ＡＧＣ電圧が０．８Ｖ以上）の場合のしきい値レベルと、入力信号レベルが低い弱入力（ＡＧＣ電圧が０．２Ｖ以下）の場合のしきい値レベルである。従って、最初に、基準電圧ＶＲＥＦ１および基準電圧ＶＲＥＦ４を設定し、基準電圧ＶＲＥＦ２、ＶＲＥＦ３はその間に設定すればよい。
また、ＡＧＣ電圧は、図４に示すように、入力信号レベルが約４０ｄｂ以下では、約０．１Ｖに飽和し、入力信号レベルが約８５ｄｂ以上では、約０．９Ｖに飽和する。従って、入力信号が著しく大きい、または、小さいというＡＧＣ電圧が飽和している領域では、しきい値の切替は行わない。
なお、本発明は、ＡＧＣ電圧によってしきい値を変更するものであるため、標準電波の種類は限定されない。すなわち、しきい値設定テーブル８は、標準電波の種類に関係なく利用することができる。
【００５７】
（４）電波修正時計１の動作
次に、上記のような電波修正時計１における、標準電波による時刻修正動作について説明する。
図１１は、電波修正時計１の時刻修正動作を示すフローチャートである。
【００５８】
電波修正時計１の製造時には、しきい値設定テーブル８が記憶部４２に書き込まれて記憶される。また、電波修正時計１の製造時には、受信する標準電波の種類として、例えばＪＪＹが設定される。したがって、受信回路の製造時では、電波修正時計１は、ＪＪＹに含まれるＴＣがデコード可能な状態に設定されている。なお、受信する電波の種類は、基本的には前回受信時の標準電波が選択されるが、前回受信時以降に外部操作部材６を操作することでユーザーが設定することができる。
【００５９】
図１１において、あらかじめ設定された自動受信時刻になった場合と、外部操作部材６によって手動受信操作が行われた場合、電波修正時計１の制御部４６は、受信処理を開始する（ステップＳ１）。
自動受信時刻は、たとえば、午前２時など、都市ノイズが少ない時間帯などが設定されるが、この自動受信時刻をユーザーがあらかじめ設定してもよい。そして、制御部４６は、時刻カウンター４４にてカウントされる時刻を監視し、時刻カウンター４４にてカウントされる時刻が、予め設定された時刻（たとえば午前２時）となったことを認識すると、自動受信処理を開始する（Ｓ１）。
【００６０】
受信処理が開始されると、制御部４６は、受信局（標準電波の種類）を選択する（Ｓ２）。受信局は、前述の通り、初期設定はＪＪＹであるが、それ以降は原則、前回の受信局が設定され、ユーザーが局を選択している場合にはその選択した局が設定される。
【００６１】
受信局が選択されると、制御部４６は、所定のウェイト時間が経過するまで処理を停止する（Ｓ３）。これは、受信局の選択で受信回路の設定を切り替えた後、ＡＧＣ電圧が安定するのを待つためである。電波修正時計１のＡＧＣ回路３６の時定数は大きく、ＡＧＣ電圧が安定するまで数秒は要する。このため、制御部４６は、所定のウェイト時間（たとえば１０秒）の間、処理を進めずに待つ。
所定のウェイト時間が経過すると、制御部４６は、ＡＧＣ回路３６から出力されるＡＧＣ信号を受けて、ＡＧＣ電圧のデータを取得する（Ｓ４）。
【００６２】
そして、制御部４６は、しきい値設定テーブル８を参照し、取得したＡＧＣ電圧に対応する二値化回路３７のしきい値レベルを取得し、初期設定のしきい値レベルから変更する必要があるかを判定する（Ｓ５）。
すなわち、本実施形態では、しきい値レベルの初期値として水準２が設定されている。このため、図１０に示すように、取得したＡＧＣ電圧が０．５〜０．８Ｖの範囲（０．５以上、０．８Ｖ未満の範囲）であれば、水準２のままでよいため、Ｓ５では「Ｎｏ」と判定される。
【００６３】
一方、取得したＡＧＣ電圧が０．８Ｖ以上の場合と、０．５Ｖ未満の場合には、Ｓ５で「Ｙｅｓ」と判定され、制御部４６は、しきい値設定テーブル８に基づいてしきい値を変更する（Ｓ６）。
たとえば、受信環境が、図７に示すａ）弱電界の場合、信号レベルも小さくなり、ＡＧＣ電圧も低い状態になる。このため、たとえば、ＡＧＣ電圧が０．２〜０．５Ｖの範囲（０．２Ｖ以上、０．５Ｖ未満）となる。この場合、しきい値設定テーブル８により、しきい値レベルは水準３が選択される。このため、制御部４６は、二値化回路３７のしきい値レベルを水準３に設定する制御信号をデコード回路３９に出力する。すると、ＶＲＥＦ切替回路３８で基準電圧ＶＲＥＦ３が選択され、しきい値レベルが水準３に設定される。
【００６４】
また、受信環境が、図７に示すｂ）ノイズ環境の場合、信号レベルも大きくなり、ＡＧＣ電圧も高い状態になる。このため、たとえば、ＡＧＣ電圧が０．８Ｖ以上となり、しきい値設定テーブル８により、しきい値レベルは水準１が選択される。このため、制御部４６は、二値化回路３７のしきい値レベルを水準１に設定する制御信号をデコード回路３９に出力する。すると、ＶＲＥＦ切替回路３８で基準電圧ＶＲＥＦ１が選択され、しきい値レベルが水準１に設定される。
【００６５】
次に、制御部４６は、秒同期処理を行う（Ｓ７）。すなわち、受信回路部３は、アンテナ２にて受信された標準電波を、同調回路３１で電圧信号（受信信号）に変換し、第１増幅回路３２、バンドパスフィルター３３、第２増幅回路３４、包絡線検波回路３５により、受信信号を所定レベルに増幅し、所望の周波数帯域の信号を抽出し、整流およびろ波して包絡線信号とする。さらに、この包絡線信号を二値化回路３７により二値化してＴＣＯ信号とし、このＴＣＯ信号を制御回路部４に出力する。
そこで、制御部４６は、ＴＣＯデコード部４１に入力されたＴＣＯ信号の立ち上がりタイミングが１秒間隔になったかを確認することで、秒同期を確立する。
【００６６】
制御部４６は、秒同期確立後、タイムコードの０秒位置を確認するため、フレーム同期（分同期）を確立する（Ｓ８）。例えば、日本の標準電波ＪＪＹでは、Ｐ０およびＭのマーカーが連続する部分がタイムコードの開始時点となり、この連続するマーカーを検出することでフレーム同期を確立することができる。
【００６７】
フレーム同期が確立すると、二値化回路３７は、ＡＧＣ電圧に応じた適切なレベルのしきい値で二値化処理を行ってＴＣＯ信号を出力し、ＴＣＯデコード部４１はそのＴＣＯ信号をデコードしてタイムコードを取得する（Ｓ９）。
すなわち、本実施形態は、タイムコードのデコードを行うまえに、正確なＴＣＯを出力させるため、ＡＧＣ電圧に基づいてしきい値を設定してから、タイムコード取得（Ｓ９）のフローに移行する。
なお、Ｓ６で、二値化のしきい値レベルを決めたら、タイムコード取得中は固定する。タイムコードの取得中にしきい値レベルを変更してしまうと、ビットデータを誤検出し、正確なデコードができない可能性があるためである。
【００６８】
そして、制御部４６は、正確なＴＣが取得されたか否かを判断し（Ｓ１０）、正確なＴＣが取得された場合、受信回路部３における標準電波の受信動作を終了させる（Ｓ１１）。この後、制御部４６は、取得したＴＣを時刻カウンター４４に出力し、時刻カウンター４４の各カウンター値を修正し、表示部５の表示時刻を修正する（Ｓ１２）。そして、通常運針に戻る（Ｓ１３）。
一方、ステップＳ１０において、正確なＴＣが取得できなかった場合は、制御部４６は、受信回路部３における標準電波の受信動作を終了させ（Ｓ１４）、通常運針に戻る（Ｓ１３）。
【００６９】
［実施形態の作用効果］
本実施形態の電波修正時計１では、レベル切替手段である制御部４６は、ＡＧＣ電圧値を示すＡＧＣ信号と、しきい値設定テーブル８とを用いて、ＡＧＣ電圧値に応じたしきい値レベルを設定できるので、二値化回路３７のしきい値を適切なレベルに直ちに変更することができる。
そして、ＡＧＣ電圧は、受信信号レベルの大小に応じて変化するものであるため、周囲の電波状態に応じて変動する。従って、しきい値をＡＧＣ電圧値に応じて設定すれば、電波環境に応じた最適なしきい値を設定できる。このため、ノイズ環境下や弱電界状態という悪条件において受信性能を向上することができる。
従って、二値化回路３７は、しきい値の設定後、正しいＴＣＯ信号を出力することができ、ＴＣＯデコード部４１において正確なＴＣを取得できる。よって、このデコードされたＴＣにより電波修正時計１の時刻修正処理を正確に実施することができる。
【００７０】
ＡＧＣ電圧値は、受信信号の入力レベルに応じて設定されるので、受信開始直後に検出することができる。このため、ＡＧＣ電圧が安定するまで数秒〜１０秒程度の時間は必要であるが、ＡＧＣ電圧が安定すれば、その値を検出して即座にしきい値を設定できる。このため、従来のように、１分間のデータを受信しなければ、しきい値を設定できない場合に比べて、迅速にしきい値を設定できる。従って、電波修正時計における平均的な受信時間も短縮でき、省電力化が図れる。
【００７１】
また、制御部４６は、基準電圧ＶＲＥＦの変更は１回の受信処理中に１回のみであり、ＴＣＯデコード部４１にてＴＣＯ信号をＴＣにデコードしている間、ＶＲＥＦ切替回路３８にて設定される基準電圧を維持し、二値化回路３７における基準電圧が変更されない。
このため、デコード中に基準電圧が変化することがないので、例えばビット化けなどにより正確なデコードが阻害されるなどの不都合が回避でき、正確なＴＣをデコードすることができる。
【００７２】
さらに、受信回路部３は、デコード回路３９を備え、デコード回路３９にて制御回路部４から入力された制御信号をデコードし、デコードされた制御信号をＶＲＥＦ切替回路３８に出力している。
このため、デコード回路３９が制御信号をデコードするので、制御回路部４から出力される制御信号を簡易な信号に設定することができ、通信される信号の信頼性を向上させることができる。
【００７３】
さらに、ＡＧＣ電圧値に応じてしきい値のレベル（基準電圧ＶＲＥＦ）を設定できるので、しきい値を標準電波の種類に応じて設定する必要がない。このため、しきい値設定テーブル８には、標準電波ごとの設定を記憶する必要が無く、１種類の設定のみで、ＪＪＹやＷＷＶＢ等、各標準電波に対応できる。したがって、例えば異なる標準電波が発信される場所に移動した場合でも、容易に、かつ正確な時刻の修正を実施できる。
【００７４】
そして、受信回路部３と制御回路部４とは、シリアル通信線により接続されている。このため、受信回路部３および制御回路部４をパラレル通信回路で接続する場合に比べて、通信線の数を減らすことができ、電波修正時計１における回路構成をより簡略化することができる。また、制御回路部４から受信回路部３にシリアル通信線を介して制御信号をシリアル出力することで、通信速度をより高速化することができる。さらには、制御回路部４と受信回路部３とを一対のシリアル通信線で接続し、双方向通信が可能な構成とすることで、制御部４６から受信回路部３に制御信号を出力した後、当該受信回路部３が、受信および認識した制御信号を制御部４６に再度転送し、制御部４６にて出力した制御信号と入力した制御信号とのデータの差異を確認することができる。このような構成にすることで、より信頼性の高いシリアル通信を行うことができる。
【００７５】
〔他の実施の形態〕
なお、本発明は前述の実施形態に限定されるものではなく、本発明の目的を達成できる範囲での変形、改良等は本発明に含まれるものである。
【００７６】
すなわち、電波修正時計としては、図１２に示す電波修正時計１Ｂであってもよい。
電波修正時計１Ｂの受信回路部３Ｂは、二値化手段として、コンパレーターを用いた二値化回路ではなく、ＡＤコンバーター３７Ｂおよびレベル選択部３８Ｂを用いた点が相違する。この場合、ＡＤコンバーター３７Ｂのためのクロック信号が必要になる。
包絡線検波後のアナログ信号をデジタル化するＡＤコンバーター３７Ｂとして、10bitのＡＤコンバーターを用いた場合、１０本のデジタル信号がレベル選択部３８Ｂに出力される。そこで、レベル選択部３８Ｂは制御信号に基づきＡＤコンバーター３７Ｂの10bitの信号を、所定のレベルで２値化してＴＣＯ出力とする。
【００７７】
前記各実施形態において、受信処理時における二値化回路３７の基準電圧ＶＲＥＦの初期値は、予め設定された固定値でもよいが、例えば、前回の受信処理時に設定した値を記憶しておき、次回の受信処理時には前回の設定値を初期値としてもよい。
この場合には、定時受信時のように、周囲の受信環境が一定している受信処理においては、前回の受信時に設定した値を初期値としておけば、しきい値を変更することなく、秒同期処理Ｓ７以降の処理を行うことができる可能性が高い。従って、より短時間でかつ効率的に受信処理を行うことができる。
【００７８】
前記実施形態では、ＡＧＣ回路３６として、図３に示すアナログ回路を用いていたが、他の回路構成としてもよい。たとえば、包絡線検波後の波形をＡＤコンバーターで検出し、さらにＤＡコンバーターを使ってデジタル的にＡＧＣ電圧を発生させるＡＧＣ回路を用いてもよい。この場合、制御部４６に出力するＡＧＣ信号は、ＤＡコンバーター前のデジタル信号を利用でき、制御部４６はこのデジタルデータに基づいて制御できるので、制御部４６での制御を容易に行うことができる。
なお、ＡＧＣ回路３６としてＡＤコンバーターを用いる場合は、受信信号をサンプリングする点で、図１２の二値化手段のＡＤコンバーター３７Ｂと同じであるため、ＡＧＣ回路と二値化手段とで、ＡＤコンバーターを兼用してもよい。
【００７９】
前記実施形態では、しきい値を一度変更したら、受信が完了するまでしきい値を固定していたが、しきい値の変更後、ＡＧＣ電圧が大きく変化した場合に、再度、ＡＧＣ電圧に基づいてしきい値を設定し直してもよい。このようにすれば、受信中に受信環境が大きく変化した場合に、しきい値を適切なレベルに変更できる。この場合、しきい値の変更後にデコードしたＴＣのみを用いて時刻修正を行えばよい。
【００８０】
さらに、上記実施の形態において、電波修正時計１，１Ｂは、周波数の変換を実施しないストレート方式の例を示したが、これに限定されず、例えばスーパーヘテロダイン方式受信回路部を有する電波修正時計としてもよい。このような場合、受信周波数の切り替えは、バンドパスフィルターの切り替えではなく、ＶＣＯ（Voltage Controlled Oscillator）の発信周波数または分周比の切り替えにて行えばよい。
【００８１】
さらに、二値化回路３７のしきい値を変化させる回路は、ＶＲＥＦ切替回路３８によって二値化回路３７の基準電圧を切り替える構成に限定されない。例えば、二値化回路３７の基準電圧は固定し、コンパレーターのオフセット値を変化させる回路を設ける構成としてもよく、さらには、ＰｃｈトランジスターとＮｃｈトランジスターの能力を変えるインバーターを複数設けることで閾値を変化させる構成としてもよい。
【００８２】
また、前記実施形態では、レベル切替手段を制御部４６で構成していたが、レベル切替手段を受信回路部３，３Ｂ内に設け、二値化回路３７やレベル選択部３８Ｂにおいて自動的にしきい値が切り替わるように構成してもよい。この場合、ＡＧＣ信号を受信回路部３，３Ｂから制御回路部４に取り出す必要がなく、配線などを簡素化できる。
【００８３】
さらに、前記実施形態では、記憶部４２に記憶されるしきい値設定テーブル８に、ＡＧＣ信号としきい値との関係を設定していたが、制御部４６で構成されるレベル切替手段に、それらの関係を設定してもよい。たとえば、レベル切替手段を制御部４６で実行されるソフトウェアで実現する場合、ＡＧＣ信号としきい値との関係をソフトウェアに直接組み込んでもよい。特に、ＡＧＣ信号としきい値との関係は、標準電波の種類などによって左右されず、１種類の設定のみでもよいため、しきい値設定テーブル８を用いない対応も容易に実現できる。
その他、本発明の実施の際の具体的な構造および手順は、本発明の目的を達成できる範囲で他の構造などに適宜変更できる。
【符号の説明】
【００８４】
１，１Ｂ…電波修正時計、２…アンテナ、３，３Ｂ…受信回路部、４…制御回路部、５…表示部、６…外部操作部材、８…しきい値設定テーブル、３２…第１増幅回路、３５…包絡線検波回路、３６…ＡＧＣ回路、３７…二値化回路、３７Ｂ…ＡＤコンバーター、３８…ＶＲＥＦ切替回路、３８Ｂ…レベル選択部、３９…デコード回路、４１…ＴＣＯデコード部、４２…記憶部、４４…時刻カウンター、４５…駆動回路部、４６…制御部、３８１…定電圧源、３８２…定電流源。
【図１】
2012189557.tif 000003
【図２】
2012189557.tif 000004
【図３】
2012189557.tif 000005
【図４】
2012189557.tif 000006
【図５】
2012189557.tif 000007
【図６】
2012189557.tif 000008
【図７】
2012189557.tif 000009
【図８】
2012189557.tif 000010
【図９】
2012189557.tif 000011
【図１０】
2012189557.tif 000012
【図１１】
2012189557.tif 000013
【図１２】
2012189557.tif 000014